(57)【特許請求の範囲】
【請求項１】
以下の成分（Ａ）、（Ｂ）、（Ｃ）、及び（Ｄ）
（Ａ）界面活性剤
（Ｂ）水
（Ｃ）粘度低下剤
（Ｄ）防カビ剤
を含有するとともに、
上記成分のうちの（Ａ）界面活性剤がアニオン界面活性剤及び非イオン界面活性剤であり、
該非イオン界面活性剤が、多価アルコール系またはソルビタン系界面活性剤であることを特徴とする
畳表用軟化剤。
【請求項２】
水で希釈して使用する濃縮タイプである
請求項１に記載の畳表用軟化剤。
【発明の詳細な説明】
【０００１】
【発明の属する技術分野】
この発明は、畳表を畳床に被覆する際に使用するのに適した畳表用軟化剤に関する。
【０００２】
【従来の技術】
畳表は畳床の上側を包むようにかぶせるものであるが、い草を一方向に編んで形成したシート状であるため、畳床にかぶせるのには注意が必要である。つまり、い草の繊維方向に逆らう折曲を無造作にすると、い草が折れてしまう。しかも不揃いの状態で、ボキボキと折れてしまう。こうなるとい草が痛んだ上、外観も悪いので、商品価値はない。また、特に最近では、一切畳縁をつけない薄い畳が流行っており、これなどではごまかしも利かず、畳表を綺麗に折り曲げる事は強く望まれている技術である。
【０００３】
この折り曲げに際しては、これまで、熱湯を用いていた。つまり熱湯をい草に染み込ませて柔らかくなるまで待ってから折曲を行なっていた。
【０００４】
しかし、染み込みまでに２０分以上の長い時間がかかり、また熱湯を用意しなければならないので、作業効率も悪いという難点があった。その上、綺麗な折り曲げが可能か否かの判断には経験も必要で、熟練性も無視できない要素であった。
【０００５】
【解決すべき課題及びそのための手段】
そこでこの発明は、畳表を折曲しやすいように軟化する作業が迅速に行なえるようにする軟化剤の提供を主たる課題とする。
【０００６】
そのための手段は、以下の成分（Ａ）、（Ｂ）、（Ｃ）、及び（Ｄ）
（Ａ）界面活性剤
（Ｂ）水
（Ｃ）粘度低下剤
（Ｄ）防カビ剤
を含有するとともに、
上記成分のうちの（Ａ）界面活性剤がアニオン界面活性剤及び非イオン界面活性剤であり、該非イオン界面活性剤が、多価アルコール系またはソルビタン系界面活性剤であることを特徴とする畳表用軟化剤である。
【０００７】
この畳表用軟化剤は、水で希釈して使用する濃縮タイプであるのが好ましい。
【０００８】
【作用及び効果】
この畳表用軟化剤は、刷毛を用いなどして折り曲げ部分に塗布し、暫時待って柔らかくなったら折り曲げを実行する。
【０００９】
畳表用軟化剤には、界面活性剤が含まれているので、い草の界面張力（表面張力）を低下させる作用があり、湿潤および浸透によって水の染み込みが早く、短時間で軟化する。熱湯を使うときのように軟化状態を折り曲げてためしてみる必要もない。しかも、非イオン界面活性剤を含有しているので、その親水基により湿潤作用は強く、泡立ちは少ない。このため、上記効果は高い。
【００１０】
また、従来のように熱湯を用意する必要はないので、準備は簡単で、安全性も高い。
【００１１】
非イオン界面活性剤には多価アルコール系、またはソルビタン系を用いているので、乳化性がよく、沈殿したり濁ったりせず、透明度が高く、畳表に塗布しても畳表の変色がない。
【００１２】
上記の成分に加えて粘度低下剤を含有させているので、たとえ泡が立っても、泡消えがよく、これによっても浸透性が良好となる。また、濃縮タイプの軟化剤とした場合でも水で希釈する場合に混ざりやすく、使用しやすい。
【００１３】
さらに、防カビ剤を含有させているので、畳表の折り曲げ後、畳にカビが生えてしまうことを阻止できる。すなわち、畳表用軟化剤を畳表に塗布して折り曲げた後は、畳表の折曲部分は水分を含んでいるのでカビがはえやすい状態である。しかし、防止カビ剤が作用するので、あえて強制的に乾燥するまでもなく、自然乾燥に頼っても、商品価値にかかわるカビの発生を阻止できる。
【００１４】
【発明の実施の形態】
以下、この発明の詳細を説明する。
この発明の畳表用軟化剤は、アニオン界面活性剤、非イオン界面活性剤、および水の混合物であり、より好ましくは、このほかに粘度低下剤と防カビ剤を混合するとよい。
【００１５】
調製は室温で行なえばよく、水にアニオン界面活性剤と非イオン界面活性剤を混合して溶液を作成し、この溶液に粘度低下剤や防止カビ剤を添加し、ｐＨ値を６．５〜７．５の値に調節する。
【００１６】
この調製に当って、水の含有量は、９０重量％程度までとし、言い換えれば、他の成分の含有量を１０重量％、若しくはそれ以上として、使用に際しては６〜１０倍に水で希釈する濃縮タイプの畳表用軟化剤とするとよい。その方が、例えば２５０ml程度の小さな容器に入れて販売してもすぐに使い切ってしまうことはなく、かさ張らず取扱いが容易である、コストを抑えることができる等の利点を有する。
【００１７】
アニオン界面活性剤としては、例えば、ドデシル硫酸ナトリウム、高級アルコールサルフェート、高級アルコールエトキシサルフェート、ポリオキシエチレンラウリルエーテル硫酸ナトリウム、ポリオキシエチレンラウリルエーテル硫酸トリエタノールアミン等の硫酸塩；ドデシルベンゼンスルホン酸ナトリウム等のアルキルベンゼンスルホン酸塩；ドデジルスルホン酸ナトリウム等のアルキルスルホン酸塩；ラウロイルサルコシンナトリウム、ラウロイルメチルアラニンナトリウム等のＮ−アシルアミノ酸塩；ポリオキシエチレンラウリルエーテルリン酸ナトリウム、ポリオキシエチレンセチルエーテルリン酸ナトリウム、ジポリオキシエチレンアルキルエーテルリン酸、トリポリオキシエチレンアルキルエーテルリン酸、ジポリオキシエチレンノニルフェニルエーテルリン酸、ポリオキシエチレンラウリルエーテルリン酸ナトリウム、ジポリエチレンラウリルエーテルリン酸ナトリウム等のポリオキシエチレンアルキルエーテルリン酸塩などを挙げることができ、この他にも適宜のアニオン界面活性剤が使用できる。一種、または二種以上を併用してもよい。
【００１８】
非イオン界面活性剤としては、例えば、ポリオキシエチレン硬化ヒマシ油；ポリオキシエチレンソルビタンモノステアレート、ポリオキシエチレンソルビタンテトラオレエート等のポリオキシエチレンソルビタン脂肪酸エステル、ポリオキシエチレングリセリルモノイソステアート、ポリオキシエチレングリセリルトリイソステアレート等のポリオキシエチレングリセリル脂肪酸エステル、ポリエチレングリコールモノイソステアレート等のポリエチレングリコール脂肪酸エステル、ポリオキシエチレンヘキルデシルエーテル、ポリオキシエチレンヘキシルデシルエーテル、ポリオキシエチレンオクチルドデシルエーテル、ポリオキシエチレンラウリルエーテル、ポリオキシエチレンセチルエーテル、ポリオキシエチレンステアリルエーテル、ポリオキシエチレンオレイルエーテル、ポリオキシエチレンノニルフェニルエーテル等のポリオキシエチレンアルキルエーテルなどのポリオキシエチレン付加型界面活性剤；ポリグリセリンアルキルエーテル、ポリグリセリン脂肪酸エステルなどのポリグリセリン型界面活性剤；ポリオキシエチレンメチルポリシロキサン共重合体、ポリ（オキシエチレン・オキシプロピレン）メチルポリシロキサン共重合体等のシリコーン誘導体界面活性剤等を挙げることができ、この他にも適宜の非イオン界面活性剤が使用できる。一種、または二種以上を併用してもよい。
【００１９】
なかでも特に、多価アルコール系またはソルビタン系の界面活性剤を用いるのがよい。乳化性がよいので沈殿したり濁ったりせず、透明度が高く、畳表に塗布しても畳表の変色がないので好ましい。
【００２０】
粘度低下剤としては、例えば、エタノール、イソプロピレングリコール等の低級アルコール類；エチレングリコール、プロピレングリコール等のグリコール類；尿素、ベンゼンスルホン酸塩、トルエンスルホン酸塩類；キシレンスルホン酸塩；安息香酸塩などを挙げることができる。
【００２１】
上記構成の畳表用軟化剤は、ごく薄い微白色の略透明な外観を呈し、臭気はない。
使用に際しては、所定倍に水で希釈した後、刷毛を用いて畳表の折曲部分に塗布し、暫時待つと柔らかくなるので、折り曲げを実行する。
【００２２】
界面活性剤には、い草の界面張力（表面張力）を低下させる作用があり、湿潤および浸透によって水の染み込みが早く、短時間で軟化する。しかも、非イオン界面活性剤を含有しているので、その親水基により湿潤作用は強く、泡立ちは少ない。このため、上記効果は高い。
【００２３】
また、従来のように熱湯を用意する必要はないので、準備は簡単で、安全性も高い。
【００２４】
さらに、粘度低下剤を含有させているので、たとい泡が立っても、泡消えがよく、これによっても浸透性が良好となる。また、水で希釈して使用するように調製しているが、粘度低下剤を含有したため希釈する場合に水と混ざりやすく、使用しやすい。
【００２５】
さらにまた、防カビ剤を含有させているので、畳表用軟化剤を畳表に塗布して折り曲げた後は、あえて強制的に乾燥するまでもなく、自然乾燥に頼っても、商品価値にかかわるカビの発生を阻止できる。